(57)【要約】【課題】  ケーキを収納した状態で携行しても収納したケーキが倒れたり、ケーキに施したデコレーションが崩れたりすることなく、また、ケーキを収納した収納箱の他に花束やプレゼント等他の携行品を一緒に携行しやすい構造であって、さらには、折りたたみ及び組み立て自在の収納箱を提供すること。【解決手段】  収納箱本体２上面の一方部分から相対向する他方部分にかけて前記収納箱本体２を携行するための把手部３を架設形成したことを特徴とする収納箱１。【選択図】  図１
2011136743.tif 000002
【特許請求の範囲】
【請求項１】
収納箱本体上面の一方部分から相対向する他方部分にかけて前記収納箱本体を携行するための把手部を架設形成したことを特徴とする収納箱。
【請求項２】
把手部は、帯状体からなることを特徴とする請求項１記載の収納箱。
【請求項３】
把手部は、収納箱本体上面において腕部を挿通して収納箱本体を携行することのできるアーチを形成することを特徴とする請求項１または請求項２記載の収納箱。
【請求項４】
把手部は、収納箱本体の一方の側面から相対向する他方の側面にかけて架設形成するとともに、前記把手部の中央に向かうに従って幅狭に形成することを特徴とする請求項１乃至請求項３のいずれかに記載の収納箱。
【請求項５】
把手部は、複数本からなり収納箱本体の一方の側面から相対向する他方の側面にかけて間隔を置いて架設形成することを特徴とする請求項１乃至請求項３のいずれかに記載の収納箱。
【請求項６】
把手部は、複数本からなり収納箱本体の一方の角部から対角線上に位置する他方の角部にかけて交差状に架設形成することを特徴とする請求項１乃至請求項３のいずれかに記載の収納箱。
【請求項７】
把手部は、環状体より形成し、収納箱本体の上面対向部分を除いて収納箱本体の周面に固定されてなることを特徴とする請求項１乃至請求項６のいずれかに記載の収納箱。
【請求項８】
把手部の中央部には、握持部材を取り付けてなることを特徴とする請求項１乃至請求項７のいずれかに記載の収納箱。
【請求項９】
把手部の中央部には、握持部を示す目印を付してなることを特徴とする請求項１乃至請求項８のいずれかに記載の収納箱。
【請求項１０】
収納箱本体は、一対の上板および底板に連接されてなる二対の側板とからなり、側板の少なくとも一つを開口部に形成し、前記開口部から収納物を出し入れ自在としてなる、折りたたみ及び組み立て自在の箱体とすることを特徴とする請求項１乃至請求項９のいずれかに記載の収納箱。
【発明の詳細な説明】
【技術分野】
【０００１】
本発明は、ケーキ等の生菓子類の持ち帰り等のために使用される収納箱に関する。
【背景技術】
【０００２】
従来より、ケーキのような型崩れしやすい生菓子類の持ち帰りに用いられる収納箱として、様々な種類の折りたたみ及び組み立て自在の紙箱が用いられている。たとえば、ホールケーキ用の紙箱１０は、一枚の板紙からなり、図７に示すように、一対の上板１１および底板１２に連接されてなる一対の開口部１３、１４と側板１５、１６とからなりこれを組み立てて収納部を形成するようになっている。そして、開口部１３を下羽根１３ａおよび上羽根１３ｂと、下羽根１３ａの端部に形成された差し込み部１３ｅとで形成し、この開口部１３からケーキを収納する。また、裏面にフィルム１９を貼着してなる上板１１の中央部には、上板１１を円弧状に切り抜いてなる把手部１７、１８が形成されており、この把手部１７、１８を起立させ、この把手部１７、１８をつまみ持ってケーキを収納した紙箱１０を携行していた。
【０００３】
また、ショートケーキ用の収納箱としては、一枚の紙板からなり、底板から連接される一対の側板の端部に形成された孔部を収納箱上面で合致させて把手部としたものが多数案出されている（特許文献１乃至特許文献４）。
【特許文献１】特開平７−２５７５５１号公報
【特許文献２】特開平９−２４９３０号公報
【特許文献３】特開２００４−２９９７７１号公報
【特許文献４】特開２００５−１１９７１５号公報
【発明の開示】
【発明が解決しようとする課題】
【０００４】
しかしながら、上述した従来のケーキ用の紙箱はいずれも、紙箱に一体に形成されている小さい把手部をつまみ持って紙箱を携行するようになっていた。したがって、この把手部をつまんで紙箱を携行すると、把手部の揺れが直接に紙箱に伝わり、ひいては紙箱の中に収納されてなるケーキが倒れたり、ケーキに施されたデコレーションが崩れるという問題があった。また、この把手部をつまみ持って紙箱を携行するときには、片方の手が完全にふさがった状態となり、花束やプレゼント等他の携行品を一緒に携行しにくいという問題があった。そして、この問題を解決するために、これまでは、ケーキを収納した紙箱をさらに、紙袋やビニール袋に入れて携行することが多く、包装の手間や、資源の無駄が生じていた。
【０００５】
そこで、これらの諸問題を解決するべく、本出願の収納箱は、ケーキを収納した状態で携行しても収納したケーキが倒れたり、ケーキに施したデコレーションが崩れたりすることなく、また、ケーキを収納した収納箱の他に花束やプレゼント等他の携行品を一緒に携行しやすい構造であって、さらには、折りたたみ及び組み立て自在の収納箱を提供することを目的とする。
【課題を解決するための手段】
【０００６】
上記目的を達成するため本発明の収納箱は、収納箱本体上面の一方部分から相対向する他方部分にかけて前記収納箱本体を携行するための把手部を架設形成したことを特徴とする。
【０００７】
把手部は、帯状体からなることを特徴とする。
【０００８】
把手部は、収納箱本体上面において腕部を挿通して収納箱本体を携行することのできるアーチを形成することを特徴とする。
【０００９】
把手部は、収納箱本体の一方の側面から相対向する他方の側面にかけて架設形成するとともに、前記把手部の中央に向かうに従って幅狭に形成することを特徴とする。
【００１０】
把手部は、複数本からなり収納箱本体の一方の側面から相対向する他方の側面にかけて間隔を置いて架設形成することを特徴とする。
【００１１】
把手部は、複数本からなり収納箱本体の一方の角部から対角線上に位置する他方の角部にかけて交差状に架設形成することを特徴とする。
【００１２】
把手部は、環状体より形成し、収納箱本体の上面対向部分を除いて収納箱本体の周面に固定されてなることを特徴とする。
【００１３】
把手部の中央部には、握持部材を取り付けてなることを特徴とする。
【００１４】
把手部の中央部には、握持部を示す目印を付してなることを特徴とする。
【００１５】
収納箱本体は、一対の上板および底板に連接されてなる二対の側板とからなり、側板の少なくとも一つを開口部に形成し、前記開口部から収納物を出し入れ自在としてなる、折りたたみ及び組み立て自在の箱体とすることを特徴とする。
【発明の効果】
【００１６】
本発明の収納箱は、収納箱本体上面の一方部分から相対向する他方部分にかけて前記収納箱本体を携行するための把手部を架設形成したことにより、把手部の揺れが直接に収納体本体に伝わらず、収納箱をケーキを収納した状態で携行しても収納したケーキが倒れたり、ケーキに施したデコレーションが崩れたりするおそれがない。
【００１７】
また、把手部は、帯状体からなることにより、把手部の傾きが直接に収納体本体に伝わらず、この収納箱を、ケーキを収納した状態で携行しても収納したケーキが倒れたり、ケーキに施したデコレーションが崩れたりするおそれがない。また、携行時以外は、把手部を収納箱本体に沿わせておくことができるので、収納箱本体を組み立てたときにも収納箱を複数重ねておくことができる。また、収納箱本体を折りたたむときにも、把手部は収納箱本体に沿わせて折りたたむことができるため、折りたたんだ収納箱を複数重ねて収納することができる。
【００１８】
また、把手部は、収納箱本体上面において腕部を挿通して収納箱本体を携行することのできるアーチを形成することにより、このアーチに腕部を挿通した状態で、掌には花束やプレゼント等他の携行品を持つことができ、複数の携行品を容易に携行することができる。また、このアーチが収納箱をぶら下げたときの揺れを吸収して、携行時の揺れや傾きが収納体本体に伝わることが少なく収納したケーキが倒れたり、ケーキに施したデコレーションが崩れたりするおそれがない。
【００１９】
また、把手部は、収納箱本体の一方の側面から相対向する他方の側面にかけて架設形成するとともに、前記把手部の中央に向かうに従って幅狭に形成することにより、収納箱本体は比較的広い面積の把手部で安定した状態に支えることができるとともに、握持、掛持する部分は、比較的狭い面積であるためにしっかりと握持でき、快適に携行することができる。
【００２０】
また、把手部は、複数本からなり収納箱本体の一方の側面から相対向する他方の側面にかけて間隔を置いて架設形成することにより、少ない面積の把手部で安定した状態で収納箱を携行することができる。また、複数本の把手部を装飾リボンで形成すれば、見栄えのよい収納箱を提供することができる。
【００２１】
また、把手部は、複数本からなり収納箱本体の一方の角部から対角線上に位置する他方の角部にかけて交差状に架設形成することにより、少ない面積の把手部で安定的に収納箱を携行することができる。また、複数本の把手部を装飾リボンで形成すれば、見栄えのよい収納箱を提供することができる。
【００２２】
また、把手部は、環状体より形成し、収納箱本体の上面対向部分を除いて収納箱本体の周面に固定されてなることにより、収納箱本体の３面を安定した状態で支えることができる。
【００２３】
また、把手部の中央部には、握持部材を取り付けてなることにより、握持個所を明確に認識することができるとともに、握持しやすい把手部が形成され、収納箱本体が傾斜することなく安定した状態で収納箱を携行することができる。
【００２４】
また、把手部の中央部には、握持部を示す目印を付してなることにより、握持個所を明確に認識することができるとともに、握持しやすい把手部が形成され、収納箱本体が傾斜することなく安定した状態で収納箱を携行することができる。
【００２５】
また、収納箱本体は、一対の上板および底板に連接されてなる二対の側板とからなり、側板の少なくとも一つを開口部に形成し、前記開口部から収納物を出し入れ自在としてなる、折りたたみおよび組み立て自在の箱体とすることにより、未使用時は、重ねて収納することができる収納箱を提供することができる。
【図面の簡単な説明】
【００２６】
【図１】本発明の第一の実施の形態の収納箱を示す斜視図。
【図２】図１に示す収納箱の開口状態を示す斜視図。
【図３】図１に示す収納箱の折りたたんだ状態を示す斜視図。
【図４】本発明の第二の実施の形態の収納箱を示す斜視図。
【図５】本発明の第三の実施の形態の収納箱を示す斜視図。
【図６】本発明の第四の実施の形態の収納箱を示す斜視図。
【図７】従来の紙箱を示す斜視図。
【発明を実施するための形態】
【００２７】
図１乃至図６に基づいて、本発明の収納箱について以下、具体的に説明する。図１乃至図３には本発明の第一の実施の形態の収納箱を示す。図１に示すように、収納箱１は、収納箱本体２と、把手部３とからなっている。
【００２８】
収納箱本体２は、紙、プラスチックシート、木板などの材料からなる薄板体から形成されていて、一対の上板２１および底板２６に連接されてなる一対の開口部２２および２３と一対の側板２４および２５とからなる。
【００２９】
開口部２２は、図２に示すように、下羽根２２ａおよび上羽根２２ｂと、下羽根２２ａおよび上羽根２２ｂ間に形成される横羽根２２ｃおよび２２ｄ、下羽根２２ａの端部に形成された差し込み部２３ｅと上羽根の付け根に形成された差し込み口２３ｆからなり開閉自在となっていて、この開口部２２から収納部２７内に不図示のケーキを出し入れ自在となっている。対向する開口部２３も開口部２２と同様の構成になっており、差し込み口２３ｆに差し込み部２３ｅを差し込んで閉口するようになっている。また、図３に示すように、収納箱本体は、開口部２２および２３を開口した状態で上板２１と底板２６が当接するように拉げることで、平らな状態に折りたためるようになっている。
【００３０】
把手部３は、可撓性のある帯状体から形成されていて、側板２４から２５に架設形成されている。そして、この第一の実施の形態において、把手部３は、環状に形成されていて、収納箱本体２の上板２１に対向する部分を覗く、収納箱本体２の側板２４、底板２６、側板２４に対向する側板２５の三面に対向する部分は固定部３１、３２、３３となり、収納箱本体２の各面を被覆するように固定されている。
【００３１】
また、上板２１上面に対向する部分は、アーチ３７を形成するように撓んだ状態に架設されており、このアーチ３７内方に不図示の腕部を挿通して収納箱１を携行することができるようになっている。また、把手部３は、側板２４、２５に固定部３１、３２から、把手部の中央部３４に向かって幅狭に形成されてなり、三角部３５、３６が形成されており収納箱本体２を安定して携行できるようになっている。
【００３２】
尚、収納箱本体２の上板２１から把手部の中央部３４までの高さhは、把手部３が架設される上板２１の辺の長さl〜l＋３センチメートル程度の長さが携行に最も適しているがこの長さに限られるものではない。
【００３３】
また、把手部３の収納箱本体２への固定は、あらかじめ収納箱本体２にコーティングしてもよいし、接着、熱着、圧着等により貼着してもよい。また、把手部３を収納箱本体２への固定する面は、側板２４、２５のみであってもよいし、側板２４、２５の縁部などに部分的に固定してもよい。また、把手部の中央部３４には、フック状や棒状等の不図示の握持部材を固定したり、目印を付して、さらに持ちやすくしてもよい。また、収納箱本体２の形状や開口部の構造は上述したものに限られるものではなく、ケーキ等の生菓子類を収納できる箱状のものであればどのような形状であってもよい。
【００３４】
この、収納箱１の使用の態様について説明する。ケーキを収納しない未使用時には、図３に示すように、収納箱本体２は折りたたまれている。このとき、把手部３は、収納箱本体２の上板２１に沿うようにたたまれて、複数枚の収納箱１を重ねられるようになっている。そしてケーキを収納するときには、図１、図２に示すように側板２４、２５を立ち上げるように収納箱本体２を組み立てて、開口部２２からケーキを収納する。そして、把手部３が形成するアーチ３７に腕を挿通する、把手部の中央部３４を握持するなどして収納箱１を携行するようになっている。このとき、収納箱１が不図示の体の脇にきて把手部３のアーチが一方へ傾斜しても、収納箱本体２はほぼ水平な状態が保持されるようになっている。また、携行時に生じる振動は、把手部３で吸収されて、収納箱本体２には伝わりにくく収納部２７に収納された不図示のケーキが倒れたり、該ケーキに施されたデコレーションが崩れたりするおそれもない。
【００３５】
図４には、本発明の第二の実施の形態の収納箱を示す。図４に示すように、収納箱４は、収納箱本体５と、２本の把手部６１ａおよび６１ｂとからなっている。
【００３６】
収納箱本体５の構造は、第一の実施の形態の収納箱１における収納箱本体２と同様であり、開口部５２は、下羽根５２ａおよび上羽根５２ｂと、下羽根５２ａおよび上羽根５２ｂ間に形成される横羽根５２ｃおよび５２ｄ、下羽根５２ａの端部に形成された差し込み部５２ｅと上羽根の付け根に形成された差し込み口５２ｆからなり開閉自在となっていて、この開口部５２から収納部内に不図示のケーキを出し入れ自在となっている。対向する開口部５３も同様の構成になっている。
【００３７】
把手部６１ａ、６１ｂは、可撓性のある２本の帯状体から形成されていて、この２本の把手部６１ａ、６１ｂは、間隔をおいて側板５４から５５に架設形成されている。そして、この第二の実施の形態において、把手部６１ａは、環状に形成されていて、上板５１に対向する部分を除く、収納箱本体５の側板５５、底板５６、側板５４に対向する側板５５の三面の縁部に対向する部分は固定部６２ａ、６３ａ、６５ａとなり、収納箱本体５の各面に固定されている。
【００３８】
また、把手部６１ｂも同様に、環状に形成されていて、上板５１に対向する部分を除く、収納箱本体５の側板５５、底板５６、側板５４に対向する側板５５の三面の反対側の縁部に対向する部分は固定部６２ｂ、６３ｂ、６５ｂとなり、収納箱本体５の各面に固定されている。
【００３９】
また、把手部６１ａ、６１ｂは、上板５１上面において、それぞれアーチ６６ａ、６６ｂを形成するように撓んだ状態に架設されており、このアーチ６６ａ、６６ｂ内方に不図示の腕部を挿通して収納箱４を携行することができるようになっている。また、それぞれの把手部の中央部６４ａ、６４ｂをまとめて握持してもよい。
【００４０】
尚、収納箱本体５の上板５１から把手部の中央部６４ａ、６４ｂまでの高さhは、把手体３が架設される上板５１の辺の長さl以上の長さであることが携行に最も適しているがこの長さに限られるものではない。
【００４１】
また、把手部６１ａ、６１ｂの収納箱本体５への固定は、あらかじめ収納箱本体５にコーティングしてもよいし、接着、熱着、圧着等により貼着してもよい。また、６１ａ、６１ｂを収納箱本体５への固定する面は、側板のみであってもよいし、側板の一部などに部分的に固定してもよい。また、把手部の中央部３４には、不図示の握持部材を固定したり、目印を付して、さらに持ちやすくしてもよい。また、収納箱本体５の形状や開口部の構造は上述したものに限られるものではなく、ケーキ等の生菓子類を収納できる箱状のものであればどのような形状であってもよい。
【００４２】
この、収納箱４の使用の態様について説明する。ケーキを収納しない未使用時には、収納箱本体５は折りたたまれている。このとき、把手部６は、収納箱本体５の上板５１に沿うようにたたまれる。そしてケーキを収納するときには、収納箱本体５を組み立てて、開口部５２からケーキを収納し、把手部６が形成するアーチ６６ａ、６６ｂ内方に腕を挿通する、把手部の中央部６４ａ、６４ｂを握持するなどして収納箱４を携行するようになっている。このとき、収納箱４が不図示の体の脇にきて把手部６のアーチが一方へ傾斜しても、収納箱本体５は、ほぼ水平な状態が保持されるようになっている。
【００４３】
図５には、本発明の第三の実施の形態の収納箱を示す。図５に示すように、収納箱７は、収納箱本体８と、帯状の把手部９とからなっていて、把手部９は、装飾リボンのように収納箱本体８に交差状に架設されている。
【００４４】
収納箱本体８の構造は、第一の実施の形態の収納箱１における収納箱本体２と同様であり、開口部８２は、下羽根８２ａおよび上羽根８２ｂと、下羽根８２ａおよび上羽根８２ｂ間に形成される横羽根８２ｃおよび８２ｄ、下羽根８２ａの端部に形成された差し込み部８２ｅと上羽根の付け根に形成された差し込み口８２ｆからなり開閉自在となっていて、この開口部８２から収納部内に不図示のケーキを出し入れ自在となっている。対向する開口部８３も同様の構成になっている。
【００４５】
把手部９は、可撓性のある帯状体から形成されている。この第三の実施の形態において、把手部９は、２方向から架設される環状体からなり、この把手部９が上板８１に対向する位置で交差するように側板８４から８５に架設形成されている。把手部９は、上板８１に対向する部分を除く、側板８５の角部、側板８５に連接する底板、側板８５の角部の対角線上に位置する側板８４の角部に固定部９１、固定部９４、固定部９３の順に収納箱本体８に巻回固定されており、これに対向するように、もう一方向から、側板８５の角部、側板８５も連接する底板、側板８５の角部の対角線上に位置する側板８４の角部に固定部９５、９８、９６の順に収納箱本体８に巻回固定されている。
【００４６】
そして、把手部９の上板８１上面に対向する把手部の中央部９２、９６は互いに交差し、この交差部分の内方に不図示の腕部を挿通して収納箱７を携行することができるようになっている。また、この交差部分を握持してもよい。
【００４７】
また、把手部９の収納箱本体８への固定は、あらかじめ収納箱本体８にコーティングしてもよいし、接着、熱着、圧着等により貼着してもよい。また、把手部９を収納箱本体８への固定する面は、側板のみであってもよいし、側板の一部などに部分的に固定してもよい。また、把手部の中央部３４には、不図示の握持部材を固定したり、目印を付して、さらに持ちやすくしてもよい。また、収納箱本体８の形状や開口部の構造は上述したものに限られるものではなく、ケーキ等の生菓子類を収納できる箱状のものであればどのような形状であってもよい。
【００４８】
この、収納箱７の使用の態様について説明する。ケーキを収納しない未使用時には、収納箱本体８は折りたたまれている。このとき、把手部９は、収納体本体８の上板８１に沿うようにたたまれる。そしてケーキを収納するときには、収納箱本体８を組み立てて、開口部８２からケーキを収納し、把手部９が形成するアーチ９９内方に腕を挿通する、把手部の中央部９２、９６が形成する交差部を握持するなどして収納箱７を携行するようになっている。このとき、収納箱７が不図示の体の脇にきて把手部９のアーチが一方へ傾斜しても、収納箱本体８はほぼ水平な状態が保持されるようになっている。
【００４９】
図６には、本発明の第四の実施の形態の収納箱を示す。図６に示すように、収納箱１０１は、収納箱本体１２１と、把手部１３５とからなっている。
【００５０】
収納箱本体１２０は、紙、プラスチックシート、木板などの材料からなる薄板体から形成されていて、一対の上板１２１および不図示の底板に連接されてなる一対の開口部１２２および１２３と一対の側板１２４および不図示の対向する側板とからなる。
【００５１】
開口部１２２は、図６に示すように、下羽根１２２ａおよび上羽根１２２ｂと、不図示の横羽根と、下羽根１２２ａの端部に形成された差し込み部１２３ｅと上羽根の付け根に形成された差し込み口１２２ｆからなり開閉自在となっていて、この開口部１２２から収納部内に不図示のケーキを出し入れ自在となっている。対向する開口部も同様の構成になっている。そして、側板１２５と対向する不図示の側板はそのコーティングシートが延長形成されてなり、把手部の基部１３３、１３４を形成している。
【００５２】
把手部１３５は、把手部の基部１３３、１３４に懸架されてなり、把手部１３５両側部には、把手部１３５を握持しやすいように湾曲部１３６ａ、１３６ｂが形成されている。そして、上板１２１上面において、把手部の基部１３３、１３４と把手部１３５がアーチ１３７を形成し、このアーチ１３７内方に不図示の腕部を挿通して収納箱１０１を携行することができるようになっている。また、それぞれの把手部１３５を握持してもよい。
【００５３】
また、把手部の基部１３３、１３４と把手部１３５の固定は、あらかじめ収納箱本体１２０にコーティングして固定してもよいし、接着、熱着、圧着等により貼着してもよい。また、収納箱本体１２０の形状や開口部の構造は上述したものに限られるものではなく、ケーキ等の生菓子類を収納できる箱状のものであればどのような形状であってもよい。
【００５４】
この、収納箱１０１の使用の態様について説明する。ケーキを収納しない未使用時には、収納箱本体１２０と把手部の基部１３３、１３４および把手部１３５は折りたたまれている。このとき、把手部１３５は、収納体本体１０１の上板１２１に沿うようにたたまれる。そしてケーキを収納するときには、収納箱本体１２０を組み立てて、開口部１２２からケーキを収納し、把手部の基部１３３、１３４と把手部１３５が形成するアーチ１３７内方に腕を挿通する、把手部１３５を握持するなどして収納箱１０１を携行するようになっている。このとき、収納箱１０１が不図示の体の脇にきてアーチ１３７が一方へ傾斜しても、収納箱本体１２０は、ほぼ水平な状態が保持されるようになっている。
【００５５】
尚、これら実施の形態において、各把手部を色つきの装飾リボンで形成すれば、見栄えもよく、プレゼント用のケーキ収納箱としても好適な収納箱を提供することができる。また、各収納箱本体も、装飾効果の高い色つき紙や、透明プラスチックボックス等を選択することで、さらに好適な収納箱を提供することができる。
【符号の説明】
【００５６】
１    収納箱
２    収納箱本体
２１  上板
２２  開口部
２２ａ下羽根
２２ｂ上羽根
２２ｃ横羽根
２２ｄ横羽根
２２ｅ差し込み部
２２ｆ差し込み口
２３  開口部
２３ｅ差し込み部
２３ｆ差し込み口
２４  側板
２５  側板
２６  底板
２７  収納部
３    把手部
３１  固定部
３２  固定部
３３  固定部
３４  把手部の中央部
３５  三角部
３６  三角部
３７  アーチ
４    収納箱
５    収納箱本体
５１  上板
５２  開口部
５２ａ下羽根
５２ｂ上羽根
５２ｃ横羽根
５２ｄ横羽根
５２ｅ差し込み部
５２ｆ差し込み口
５３  開口部
５４  側板
５５  側板
５６  底板
６    把手部
６１ａ把手部
６１ｂ把手部
６２ａ固定部
６２ｂ固定部
６３ａ固定部
６３ｂ固定部
６４ａ把手部の中央部
６４ｂ把手部の中央部
６５ａ固定部
６５ｂ固定部
６６ａアーチ
６６ｂアーチ
７    収納箱
８    収納箱本体
８１  上板
８２  開口部
８２ａ下羽根
８２ｂ上羽根
８２ｃ横羽根
８２ｄ横羽根
８２ｅ差し込み部
８２ｆ差し込み口
８３  開口部
８４  側板
８５  側板
８６  底板
９    把手部
９１  固定部
９２  把手部の中央部
９３  固定部
９４  固定部
９５  固定部
９６  把手部の中央部
９７  固定部
９８  固定部
９９  アーチ
１０１収納箱
１２０収納箱本体
１２１上板
１２２開口部
１２２ａ下羽根
１２２ｂ上羽根
１２２ｅ差し込み部
１２２ｆ差し込み口
１２５  側板
１３１把手部
１３２固定部
１３３把手部の基部
１３４把手部の基部
１３５把手部
１３６ａアール
１３６ｂアール
１３７  アーチ
１０    紙箱
１１    上板
１２    底板
１３    開口部
１３ａ  上羽根
１３ｂ  下羽根
１３ｅ  差し込み部
１４    開口部
１４ｅ  差し込み部
１５    側板
１６    側板
１７    把手部
１８    把手部
１９    フィルム
【図１】
2011136743.tif 000003
【図２】
2011136743.tif 000004
【図３】
2011136743.tif 000005
【図４】
2011136743.tif 000006
【図５】
2011136743.tif 000007
【図６】
2011136743.tif 000008
【図７】
2011136743.tif 000009
【手続補正書】
【提出日】平成22年7月14日(2010.7.14)
【手続補正１】
【補正対象書類名】特許請求の範囲
【補正対象項目名】全文
【補正方法】変更
【補正の内容】
【特許請求の範囲】
【請求項１】
収納箱本体上面の一方部分から相対向する他方部分にかけて前記収納箱本体を携行するための把手部を架設形成してなる収納箱であって、収納箱本体の一方の側面から相対向する他方の側面にかけて前記把手部を架設形成し前記把手部の収納箱本体上面対向部分は把手部中央に向かうに従って幅狭に形成されている帯状体からなり収納箱本体上面において腕部を挿通して収納箱本体を携行することのできるアーチを形成するとともに、前記把手部は環状体より形成してなり前記把手部中央に比して幅広の固定部が前記収納箱本体の上面対向部分を除いて収納箱本体の相対向する側板および底板を被覆するように前記収納箱本体の周面に固定されてなることを特徴とする収納箱。
【請求項２】
把手部の中央部には、握持部材を取り付けてなることを特徴とする請求項１に記載の収納箱。
【請求項３】
把手部の中央部には、握持部を示す目印を付してなることを特徴とする請求項１または２に記載の収納箱。
【請求項４】
収納箱本体は、一対の上板および底板に連接されてなる二対の側板とからなり、側板の少なくとも一つを開口部に形成し、前記開口部から収納物を出し入れ自在としてなる、折りたたみ及び組み立て自在の箱体とすることを特徴とする請求項１乃至３のいずれかに記載の収納箱。
【手続補正２】
【補正対象書類名】明細書
【補正対象項目名】全文
【補正方法】変更
【補正の内容】
【発明の詳細な説明】
【技術分野】
【０００１】
本発明は、ケーキ等の生菓子類の持ち帰り等のために使用される収納箱に関する。
【背景技術】
【０００２】
従来より、ケーキのような型崩れしやすい生菓子類の持ち帰りに用いられる収納箱として、様々な種類の折りたたみ及び組み立て自在の紙箱が用いられている。たとえば、ホールケーキ用の紙箱１０は、一枚の板紙からなり、図７に示すように、一対の上板１１および底板１２に連接されてなる一対の開口部１３、１４と側板１５、１６とからなりこれを組み立てて収納部を形成するようになっている。そして、開口部１３を下羽根１３ａおよび上羽根１３ｂと、下羽根１３ａの端部に形成された差し込み部１３ｅとで形成し、この開口部１３からケーキを収納する。また、裏面にフィルム１９を貼着してなる上板１１の中央部には、上板１１を円弧状に切り抜いてなる把手部１７、１８が形成されており、この把手部１７、１８を起立させ、この把手部１７、１８をつまみ持ってケーキを収納した紙箱１０を携行していた。
【０００３】
また、ショートケーキ用の収納箱としては、一枚の紙板からなり、底板から連接される一対の側板の端部に形成された孔部を収納箱上面で合致させて把手部としたものが多数案出されている（特許文献１乃至特許文献４）。
【特許文献１】特開平７−２５７５５１号公報
【特許文献２】特開平９−２４９３０号公報
【特許文献３】特開２００４−２９９７７１号公報
【特許文献４】特開２００５−１１９７１５号公報
【発明の開示】
【発明が解決しようとする課題】
【０００４】
しかしながら、上述した従来のケーキ用の紙箱はいずれも、紙箱に一体に形成されている小さい把手部をつまみ持って紙箱を携行するようになっていた。したがって、この把手部をつまんで紙箱を携行すると、把手部の揺れが直接に紙箱に伝わり、ひいては紙箱の中に収納されてなるケーキが倒れたり、ケーキに施されたデコレーションが崩れるという問題があった。また、この把手部をつまみ持って紙箱を携行するときには、片方の手が完全にふさがった状態となり、花束やプレゼント等他の携行品を一緒に携行しにくいという問題があった。そして、この問題を解決するために、これまでは、ケーキを収納した紙箱をさらに、紙袋やビニール袋に入れて携行することが多く、包装の手間や、資源の無駄が生じていた。
【０００５】
そこで、これらの諸問題を解決するべく、本出願の収納箱は、ケーキを収納した状態で携行しても収納したケーキが倒れたり、ケーキに施したデコレーションが崩れたりすることなく、また、ケーキを収納した収納箱の他に花束やプレゼント等他の携行品を一緒に携行しやすい構造であって、さらには、折りたたみ及び組み立て自在の収納箱を提供することを目的とする。
【課題を解決するための手段】
【０００６】
上記目的を達成するため本発明の収納箱は、収納箱本体上面の一方部分から相対向する他方部分にかけて前記収納箱本体を携行するための把手部を架設形成してなる収納箱であって、収納箱本体の一方の側面から相対向する他方の側面にかけて前記把手部を架設形成し前記把手部の収納箱本体上面対向部分は把手部中央に向かうに従って幅狭に形成されている帯状体からなり収納箱本体上面において腕部を挿通して収納箱本体を携行することのできるアーチを形成するとともに、前記把手部は環状体より形成してなり前記把手部中央に比して幅広の固定部が前記収納箱本体の上面対向部分を除いて収納箱本体の相対向する側板および底板を被覆するように前記収納箱本体の周面に固定されてなることを特徴とする。
【０００７】
把手部の中央部には、握持部材を取り付けてなることを特徴とする。
【０００８】
把手部の中央部には、握持部を示す目印を付してなることを特徴とする。
【０００９】
収納箱本体は、一対の上板および底板に連接されてなる二対の側板とからなり、側板の少なくとも一つを開口部に形成し、前記開口部から収納物を出し入れ自在としてなる、折りたたみ及び組み立て自在の箱体とすることを特徴とする。
【発明の効果】
【００１０】
本発明の収納箱は、収納箱本体上面の一方部分から相対向する他方部分にかけて前記収納箱本体を携行するための把手部を架設形成したことにより、把手部の揺れが直接に収納体本体に伝わらず、収納箱をケーキを収納した状態で携行しても収納したケーキが倒れたり、ケーキに施したデコレーションが崩れたりするおそれがない。
【００１１】
また、把手部は、帯状体からなることにより、把手部の傾きが直接に収納体本体に伝わらず、この収納箱を、ケーキを収納した状態で携行しても収納したケーキが倒れたり、ケーキに施したデコレーションが崩れたりするおそれがない。また、携行時以外は、把手部を収納箱本体に沿わせておくことができるので、収納箱本体を組み立てたときにも収納箱を複数重ねておくことができる。また、収納箱本体を折りたたむときにも、把手部は収納箱本体に沿わせて折りたたむことができるため、折りたたんだ収納箱を複数重ねて収納することができる。
【００１２】
また、把手部は、収納箱本体上面において腕部を挿通して収納箱本体を携行することのできるアーチを形成することにより、このアーチに腕部を挿通した状態で、掌には花束やプレゼント等他の携行品を持つことができ、複数の携行品を容易に携行することができる。また、このアーチが収納箱をぶら下げたときの揺れを吸収して、携行時の揺れや傾きが収納体本体に伝わることが少なく収納したケーキが倒れたり、ケーキに施したデコレーションが崩れたりするおそれがない。
【００１３】
また、把手部は、収納箱本体の一方の側面から相対向する他方の側面にかけて架設形成するとともに、前記把手部の中央に向かうに従って幅狭に形成することにより、収納箱本体は比較的広い面積の把手部で安定した状態に支えることができるとともに、握持、掛持する部分は、比較的狭い面積であるためにしっかりと握持でき、快適に携行することができる。
【００１４】
また、把手部は、環状体より形成し、収納箱本体の上面対向部分を除いて収納箱本体の周面に固定されてなることにより、収納箱本体の３面を安定した状態で支えることができる。
【００１５】
また、把手部の中央部には、握持部材を取り付けてなることにより、握持個所を明確に認識することができるとともに、握持しやすい把手部が形成され、収納箱本体が傾斜することなく安定した状態で収納箱を携行することができる。
【００１６】
また、把手部の中央部には、握持部を示す目印を付してなることにより、握持個所を明確に認識することができるとともに、握持しやすい把手部が形成され、収納箱本体が傾斜することなく安定した状態で収納箱を携行することができる。
【００１７】
また、収納箱本体は、一対の上板および底板に連接されてなる二対の側板とからなり、側板の少なくとも一つを開口部に形成し、前記開口部から収納物を出し入れ自在としてなる、折りたたみおよび組み立て自在の箱体とすることにより、未使用時は、重ねて収納することができる収納箱を提供することができる。
【００１８】
尚、把手部は、複数本からなり収納箱本体の一方の側面から相対向する他方の側面にかけて間隔を置いて架設形成することにより、少ない面積の把手部で安定した状態で収納箱を携行することができる。また、複数本の把手部を装飾リボンで形成すれば、見栄えのよい収納箱を提供することができる。把手部は、複数本からなり収納箱本体の一方の角部から対角線上に位置する他方の角部にかけて交差状に架設形成することにより、少ない面積の把手部で安定的に収納箱を携行することができる。また、複数本の把手部を装飾リボンで形成すれば、見栄えのよい収納箱を提供することができる。
【図面の簡単な説明】
【００１９】
【図１】本発明の第一の実施の形態の収納箱を示す斜視図。
【図２】図１に示す収納箱の開口状態を示す斜視図。
【図３】図１に示す収納箱の折りたたんだ状態を示す斜視図。
【図４】本発明の第二の実施の形態の収納箱を示す斜視図。
【図５】本発明の第三の実施の形態の収納箱を示す斜視図。
【図６】本発明の第四の実施の形態の収納箱を示す斜視図。
【図７】従来の紙箱を示す斜視図。
【発明を実施するための形態】
【００２０】
図１乃至図６に基づいて、本発明の収納箱について以下、具体的に説明する。図１乃至図３には本発明の第一の実施の形態の収納箱を示す。図１に示すように、収納箱１は、収納箱本体２と、把手部３とからなっている。
【００２１】
収納箱本体２は、紙、プラスチックシート、木板などの材料からなる薄板体から形成されていて、一対の上板２１および底板２６に連接されてなる一対の開口部２２および２３と一対の側板２４および２５とからなる。
【００２２】
開口部２２は、図２に示すように、下羽根２２ａおよび上羽根２２ｂと、下羽根２２ａおよび上羽根２２ｂ間に形成される横羽根２２ｃおよび２２ｄ、下羽根２２ａの端部に形成された差し込み部２３ｅと上羽根の付け根に形成された差し込み口２３ｆからなり開閉自在となっていて、この開口部２２から収納部２７内に不図示のケーキを出し入れ自在となっている。対向する開口部２３も開口部２２と同様の構成になっており、差し込み口２３ｆに差し込み部２３ｅを差し込んで閉口するようになっている。また、図３に示すように、収納箱本体は、開口部２２および２３を開口した状態で上板２１と底板２６が当接するように拉げることで、平らな状態に折りたためるようになっている。
【００２３】
把手部３は、可撓性のある帯状体から形成されていて、側板２４から２５に架設形成されている。そして、この第一の実施の形態において、把手部３は、環状に形成されていて、収納箱本体２の上板２１に対向する部分を除く、収納箱本体２の側板２４、底板２６、側板２４に対向する側板２５の三面に対向する部分は固定部３１、３２、３３となり、収納箱本体２の各面を被覆するように固定されている。
【００２４】
また、上板２１上面に対向する部分は、アーチ３７を形成するように撓んだ状態に架設されており、このアーチ３７内方に不図示の腕部を挿通して収納箱１を携行することができるようになっている。また、把手部３は、側板２４、２５の固定部３１、３２から、把手部の中央部３４に向かって幅狭に形成されてなり、三角部３５、３６が形成されており収納箱本体２を安定して携行できるようになっている。
【００２５】
尚、収納箱本体２の上板２１から把手部の中央部３４までの高さhは、把手部３が架設される上板２１の辺の長さl〜l＋３センチメートル程度の長さが携行に最も適しているがこの長さに限られるものではない。
【００２６】
また、把手部３の収納箱本体２への固定は、あらかじめ収納箱本体２にコーティングしてもよいし、接着、熱着、圧着等により貼着してもよい。また、把手部３を収納箱本体２への固定する面は、側板２４、２５のみであってもよいし、側板２４、２５の縁部などに部分的に固定してもよい。また、把手部の中央部３４には、フック状や棒状等の不図示の握持部材を固定したり、目印を付して、さらに持ちやすくしてもよい。また、収納箱本体２の形状や開口部の構造は上述したものに限られるものではなく、ケーキ等の生菓子類を収納できる箱状のものであればどのような形状であってもよい。
【００２７】
この、収納箱１の使用の態様について説明する。ケーキを収納しない未使用時には、図３に示すように、収納箱本体２は折りたたまれている。このとき、把手部３は、収納箱本体２の上板２１に沿うようにたたまれて、複数枚の収納箱１を重ねられるようになっている。そしてケーキを収納するときには、図１、図２に示すように側板２４、２５を立ち上げるように収納箱本体２を組み立てて、開口部２２からケーキを収納する。そして、把手部３が形成するアーチ３７に腕を挿通する、把手部の中央部３４を握持するなどして収納箱１を携行するようになっている。このとき、収納箱１が不図示の体の脇にきて把手部３のアーチが一方へ傾斜しても、収納箱本体２はほぼ水平な状態が保持されるようになっている。また、携行時に生じる振動は、把手部３で吸収されて、収納箱本体２には伝わりにくく収納部２７に収納された不図示のケーキが倒れたり、該ケーキに施されたデコレーションが崩れたりするおそれもない。
【００２８】
図４には、本発明の第二の実施の形態の収納箱を示す。図４に示すように、収納箱４は、収納箱本体５と、２本の把手部６１ａおよび６１ｂとからなっている。
【００２９】
収納箱本体５の構造は、第一の実施の形態の収納箱１における収納箱本体２と同様であり、開口部５２は、下羽根５２ａおよび上羽根５２ｂと、下羽根５２ａおよび上羽根５２ｂ間に形成される横羽根５２ｃおよび５２ｄ、下羽根５２ａの端部に形成された差し込み部５２ｅと上羽根の付け根に形成された差し込み口５２ｆからなり開閉自在となっていて、この開口部５２から収納部内に不図示のケーキを出し入れ自在となっている。対向する開口部５３も同様の構成になっている。
【００３０】
把手部６１ａ、６１ｂは、可撓性のある２本の帯状体から形成されていて、この２本の把手部６１ａ、６１ｂは、間隔をおいて側板５４から５５に架設形成されている。そして、この第二の実施の形態において、把手部６１ａは、環状に形成されていて、上板５１に対向する部分を除く、収納箱本体５の側板５５、底板５６、側板５４に対向する側板５５の三面の縁部に対向する部分は固定部６２ａ、６３ａ、６５ａとなり、収納箱本体５の各面に固定されている。
【００３１】
また、把手部６１ｂも同様に、環状に形成されていて、上板５１に対向する部分を除く、収納箱本体５の側板５５、底板５６、側板５４に対向する側板５５の三面の反対側の縁部に対向する部分は固定部６２ｂ、６３ｂ、６５ｂとなり、収納箱本体５の各面に固定されている。
【００３２】
また、把手部６１ａ、６１ｂは、上板５１上面において、それぞれアーチ６６ａ、６６ｂを形成するように撓んだ状態に架設されており、このアーチ６６ａ、６６ｂ内方に不図示の腕部を挿通して収納箱４を携行することができるようになっている。また、それぞれの把手部の中央部６４ａ、６４ｂをまとめて握持してもよい。
【００３３】
尚、収納箱本体５の上板５１から把手部の中央部６４ａ、６４ｂまでの高さhは、把手体３が架設される上板５１の辺の長さl以上の長さであることが携行に最も適しているがこの長さに限られるものではない。
【００３４】
また、把手部６１ａ、６１ｂの収納箱本体５への固定は、あらかじめ収納箱本体５にコーティングしてもよいし、接着、熱着、圧着等により貼着してもよい。また、６１ａ、６１ｂを収納箱本体５への固定する面は、側板のみであってもよいし、側板の一部などに部分的に固定してもよい。また、把手部の中央部３４には、不図示の握持部材を固定したり、目印を付して、さらに持ちやすくしてもよい。また、収納箱本体５の形状や開口部の構造は上述したものに限られるものではなく、ケーキ等の生菓子類を収納できる箱状のものであればどのような形状であってもよい。
【００３５】
この、収納箱４の使用の態様について説明する。ケーキを収納しない未使用時には、収納箱本体５は折りたたまれている。このとき、把手部６は、収納箱本体５の上板５１に沿うようにたたまれる。そしてケーキを収納するときには、収納箱本体５を組み立てて、開口部５２からケーキを収納し、把手部６が形成するアーチ６６ａ、６６ｂ内方に腕を挿通する、把手部の中央部６４ａ、６４ｂを握持するなどして収納箱４を携行するようになっている。このとき、収納箱４が不図示の体の脇にきて把手部６のアーチが一方へ傾斜しても、収納箱本体５は、ほぼ水平な状態が保持されるようになっている。
【００３６】
図５には、本発明の第三の実施の形態の収納箱を示す。図５に示すように、収納箱７は、収納箱本体８と、帯状の把手部９とからなっていて、把手部９は、装飾リボンのように収納箱本体８に交差状に架設されている。
【００３７】
収納箱本体８の構造は、第一の実施の形態の収納箱１における収納箱本体２と同様であり、開口部８２は、下羽根８２ａおよび上羽根８２ｂと、下羽根８２ａおよび上羽根８２ｂ間に形成される横羽根８２ｃおよび８２ｄ、下羽根８２ａの端部に形成された差し込み部８２ｅと上羽根の付け根に形成された差し込み口８２ｆからなり開閉自在となっていて、この開口部８２から収納部内に不図示のケーキを出し入れ自在となっている。対向する開口部８３も同様の構成になっている。
【００３８】
把手部９は、可撓性のある帯状体から形成されている。この第三の実施の形態において、把手部９は、２方向から架設される環状体からなり、この把手部９が上板８１に対向する位置で交差するように側板８４から８５に架設形成されている。把手部９は、上板８１に対向する部分を除く、側板８５の角部、側板８５に連接する底板、側板８５の角部の対角線上に位置する側板８４の角部に固定部９１、固定部９４、固定部９３の順に収納箱本体８に巻回固定されており、これに対向するように、もう一方向から、側板８５の角部、側板８５も連接する底板、側板８５の角部の対角線上に位置する側板８４の角部に固定部９５、９８、９６の順に収納箱本体８に巻回固定されている。
【００３９】
そして、把手部９の上板８１上面に対向する把手部の中央部９２、９６は互いに交差し、この交差部分の内方に不図示の腕部を挿通して収納箱７を携行することができるようになっている。また、この交差部分を握持してもよい。
【００４０】
また、把手部９の収納箱本体８への固定は、あらかじめ収納箱本体８にコーティングしてもよいし、接着、熱着、圧着等により貼着してもよい。また、把手部９を収納箱本体８への固定する面は、側板のみであってもよいし、側板の一部などに部分的に固定してもよい。また、把手部の中央部３４には、不図示の握持部材を固定したり、目印を付して、さらに持ちやすくしてもよい。また、収納箱本体８の形状や開口部の構造は上述したものに限られるものではなく、ケーキ等の生菓子類を収納できる箱状のものであればどのような形状であってもよい。
【００４１】
この、収納箱７の使用の態様について説明する。ケーキを収納しない未使用時には、収納箱本体８は折りたたまれている。このとき、把手部９は、収納体本体８の上板８１に沿うようにたたまれる。そしてケーキを収納するときには、収納箱本体８を組み立てて、開口部８２からケーキを収納し、把手部９が形成するアーチ９９内方に腕を挿通する、把手部の中央部９２、９６が形成する交差部を握持するなどして収納箱７を携行するようになっている。このとき、収納箱７が不図示の体の脇にきて把手部９のアーチが一方へ傾斜しても、収納箱本体８はほぼ水平な状態が保持されるようになっている。
【００４２】
図６には、本発明の第四の実施の形態の収納箱を示す。図６に示すように、収納箱１０１は、収納箱本体１２１と、把手部１３５とからなっている。
【００４３】
収納箱本体１２０は、紙、プラスチックシート、木板などの材料からなる薄板体から形成されていて、一対の上板１２１および不図示の底板に連接されてなる一対の開口部１２２および１２３と一対の側板１２４および不図示の対向する側板とからなる。
【００４４】
開口部１２２は、図６に示すように、下羽根１２２ａおよび上羽根１２２ｂと、不図示の横羽根と、下羽根１２２ａの端部に形成された差し込み部１２３ｅと上羽根の付け根に形成された差し込み口１２２ｆからなり開閉自在となっていて、この開口部１２２から収納部内に不図示のケーキを出し入れ自在となっている。対向する開口部も同様の構成になっている。そして、側板１２５と対向する不図示の側板はそのコーティングシートが延長形成されてなり、把手部の基部１３３、１３４を形成している。
【００４５】
把手部１３５は、把手部の基部１３３、１３４に懸架されてなり、把手部１３５両側部には、把手部１３５を握持しやすいように湾曲部１３６ａ、１３６ｂが形成されている。そして、上板１２１上面において、把手部の基部１３３、１３４と把手部１３５がアーチ１３７を形成し、このアーチ１３７内方に不図示の腕部を挿通して収納箱１０１を携行することができるようになっている。また、それぞれの把手部１３５を握持してもよい。
【００４６】
また、把手部の基部１３３、１３４と把手部１３５の固定は、あらかじめ収納箱本体１２０にコーティングして固定してもよいし、接着、熱着、圧着等により貼着してもよい。また、収納箱本体１２０の形状や開口部の構造は上述したものに限られるものではなく、ケーキ等の生菓子類を収納できる箱状のものであればどのような形状であってもよい。
【００４７】
この、収納箱１０１の使用の態様について説明する。ケーキを収納しない未使用時には、収納箱本体１２０と把手部の基部１３３、１３４および把手部１３５は折りたたまれている。このとき、把手部１３５は、収納体本体１０１の上板１２１に沿うようにたたまれる。そしてケーキを収納するときには、収納箱本体１２０を組み立てて、開口部１２２からケーキを収納し、把手部の基部１３３、１３４と把手部１３５が形成するアーチ１３７内方に腕を挿通する、把手部１３５を握持するなどして収納箱１０１を携行するようになっている。このとき、収納箱１０１が不図示の体の脇にきてアーチ１３７が一方へ傾斜しても、収納箱本体１２０は、ほぼ水平な状態が保持されるようになっている。
【００４８】
尚、これら実施の形態において、各把手部を色つきの装飾リボンで形成すれば、見栄えもよく、プレゼント用のケーキ収納箱としても好適な収納箱を提供することができる。また、各収納箱本体も、装飾効果の高い色つき紙や、透明プラスチックボックス等を選択することで、さらに好適な収納箱を提供することができる。
【符号の説明】
【００４９】
１    収納箱
２    収納箱本体
２１  上板
２２  開口部
２２ａ下羽根
２２ｂ上羽根
２２ｃ横羽根
２２ｄ横羽根
２２ｅ差し込み部
２２ｆ差し込み口
２３  開口部
２３ｅ差し込み部
２３ｆ差し込み口
２４  側板
２５  側板
２６  底板
２７  収納部
３    把手部
３１  固定部
３２  固定部
３３  固定部
３４  把手部の中央部
３５  三角部
３６  三角部
３７  アーチ
４    収納箱
５    収納箱本体
５１  上板
５２  開口部
５２ａ下羽根
５２ｂ上羽根
５２ｃ横羽根
５２ｄ横羽根
５２ｅ差し込み部
５２ｆ差し込み口
５３  開口部
５４  側板
５５  側板
５６  底板
６    把手部
６１ａ把手部
６１ｂ把手部
６２ａ固定部
６２ｂ固定部
６３ａ固定部
６３ｂ固定部
６４ａ把手部の中央部
６４ｂ把手部の中央部
６５ａ固定部
６５ｂ固定部
６６ａアーチ
６６ｂアーチ
７    収納箱
８    収納箱本体
８１  上板
８２  開口部
８２ａ下羽根
８２ｂ上羽根
８２ｃ横羽根
８２ｄ横羽根
８２ｅ差し込み部
８２ｆ差し込み口
８３  開口部
８４  側板
８５  側板
８６  底板
９    把手部
９１  固定部
９２  把手部の中央部
９３  固定部
９４  固定部
９５  固定部
９６  把手部の中央部
９７  固定部
９８  固定部
９９  アーチ
１０１収納箱
１２０収納箱本体
１２１上板
１２２開口部
１２２ａ下羽根
１２２ｂ上羽根
１２２ｅ差し込み部
１２２ｆ差し込み口
１２５  側板
１３１把手部
１３２固定部
１３３把手部の基部
１３４把手部の基部
１３５把手部
１３６ａアール
１３６ｂアール
１３７  アーチ
１０    紙箱
１１    上板
１２    底板
１３    開口部
１３ａ  上羽根
１３ｂ  下羽根
１３ｅ  差し込み部
１４    開口部
１４ｅ  差し込み部
１５    側板
１６    側板
１７    把手部
１８    把手部
１９    フィルム